(57)【要約】【課題】  水洗大便器からの排水に他の機器からの排水を合流させることによりサイホン作用が弱められることが少ない排水ソケットを提供する。【解決手段】  本発明は、水洗大便器（Ｂ）の排水路（Ｂ１）と他の排水（Ｌ）の排水路（Ｌ１）とを合流させ、床面（Ｆ）に設けられた排水配管（Ｄ）に連通させる水洗大便器の排水ソケット（１）である。この排水ソケットは、水洗大便器の排水路に接続されるソケット流入口（２ａ）を上端に備え、且つほぼ鉛直方向に延びる鉛直管路（２）と、この鉛直管路と排水配管とを接続し、横方向に延びる横管路（４）と、鉛直管路の周囲に形成され、且つ他の排水の排水路に接続される緩衝室流入口（６ａ）、及び、横管路上部で且つ排水配管の近傍に開口した合流出口（６ｂ）を備えた緩衝室（６）と、を有することを特徴としている。【選択図】  図３
2005098011.tif 000002
【特許請求の範囲】
【請求項１】
水洗大便器の排水路と他の機器の排水路を合流させこれらの排水路を床面に設けられた排水配管に連通させる水洗大便器の排水ソケットであって、
前記水洗大便器の排水路に接続されるソケット流入口をその上端に備え且つほぼ鉛直方向に延びる鉛直管路と、
この鉛直管路と前記排水配管とを接続し横方向に延びる横管路と、
前記鉛直管路の周囲に形成され且つ前記他の機器の排水路に接続される緩衝室流入口と前記横管路の上部で且つ前記排水配管の近傍に開口した合流出口を備えた緩衝室と、
を有することを特徴とする排水ソケット。
【請求項２】
前記鉛直管路及び前記記緩衝室は、内径の異なる円筒状の部材による入れ子構造によって円環状空間を形成すると共に、この円環状空間から前記横管路の上方を経て前記排水配管の近傍に開口する横引き空間を有してなる請求項１記載の排水ソケット。
【請求項３】
前記横管路は、前記鉛直管路から前記排水配管とを結ぶ斜め下りの管路であり、前記横引き空間も合流出口に向けて斜め下りに形成されていることを特徴とする請求項２記載の排水ソケット。
【請求項４】
前記横引き空間は、前記横管路と一体に成形されている流路壁と、この流路壁の上方に取付けられたカバー材によって形成されていることを特徴とする請求項２又は３記載の排水ソケット。
【発明の詳細な説明】
【技術分野】
【０００１】
本発明は、水洗大便器の排水ソケットに係り、特に水洗大便器からの排水と他の機器の排水路を合流させてこれらの排水路を床面に設けられた排水配管に連通させる水洗大便器の排水ソケットに関する。 
【背景技術】
【０００２】
水洗大便器と手洗い器が併設されているトイレにおいては、水洗大便器からの排水と、手洗い器からの排水を合流させて１本の排水配管に排出することが行われている。この配管方式には、図５に示すような、水洗大便器Ｂからの排水路Ｂ１と、手洗い器（図示せず）からの排水路Ｌ１とを合流させ、排水配管Ｄに排出する排水ソケット１００が使用されている。この配管方式は、特に、既設のトイレに手洗い器を増設するような場合に、手洗い器用の排水配管を新たに立上げ直す必要がないため、便利である。
【０００３】
また、特開２００３−２７５６３号公報には、水洗大便器と手洗い器とを、Ｌ字形カウンターを介して配置したトイレユニットを記載している。このトイレユニットでは、手洗い器からの排水を流す管路がＬ字形カウンターの中を通って水洗大便器のトラップの下流側の排水ソケットに接続されている。従って、水洗大便器からの排水と手洗い器からの排水は、水洗大便器のトラップの下流で合流され、排水配管から排出される。
【０００４】
【特許文献１】特開２００３−２７５６３号公報（第７、８図）
【発明の開示】
【発明が解決しようとする課題】
【０００５】
しかしながら、水洗大便器トラップの下流側管路の構成は、水洗大便器のサイホン作用に関係するため、水洗大便器からの排水と手洗い器からの排水とを合流させる合流出口の位置、形状によっては、サイホン作用を弱める可能性があるという問題がある。これは、水洗大便器からの排水が管路内を流れることにより管路内に負圧が発生すると、手洗い器排水の合流出口から管路内に空気が吸込まれるため、サイホン作用の発生に必要な管路内の水膜の形成が阻害されたり、サイホン作用の持続を阻害される場合があるためである。
【０００６】
また、合流部分の管路の構成によっては、水洗大便器から排出された汚水が合流出口を通って手洗い器排水の管路に逆流するため、手洗い器排水の管路に汚物が堆積し、管路を詰まらせる恐れがあるという問題がある。さらに、水洗大便器からの排水が管路内を流れて管路内に負圧が発生すると、手洗い器と合流出口との間の管路に形成された手洗い器排水のトラップ内の封水が吸い出され、手洗い器の封水が破られる破封を引起こす場合があるという問題がある。
【０００７】
従って、本発明は、サイホン作用が弱められることが少ない排水ソケットを提供することを目的としている。
また、本発明は、水洗大便器から排出された汚物が水洗大便器からの排水と合流する排水路に堆積しにくい排水ソケットを提供することを目的としている。
さらに、本発明は、水洗大便器からの排水に合流された他の機器の排水路に悪影響を与えにくい排水ソケットを提供することを目的としている。
【課題を解決するための手段】
【０００８】
上記目的を達成するために請求項１記載の発明によれば、水洗大便器の排水路と他の機器の排水路を合流させこれらの排水路を床面に設けられた排水配管に連通させる水洗大便器の排水ソケットであって、前記水洗大便器の排水路に接続されるソケット流入口をその上端に備え且つほぼ鉛直方向に延びる鉛直管路と、この鉛直管路と前記排水配管とを接続し横方向に延びる横管路と、前記鉛直管路の周囲に形成され且つ前記他の機器の排水路に接続される緩衝室流入口と前記横管路の上部で且つ排水配管の近傍に開口した合流出口を備えた緩衝室と、を有することを特徴とする。
【０００９】
上記のように構成された本発明においては、水洗大便器からの排水は、ソケット流入口から流入し、鉛直管路、横管路を通って排水配管に排出される。また、他の機器からの排水は、緩衝室流入口から流入し、緩衝室を通って、合流出口から流出して水洗大便器からの排水と合流し、排水配管に排出される。
このように構成された本発明によれば、他の機器からの排水が、緩衝室を経て水洗大便器からの排水と合流するので、水洗大便器からの排水が鉛直管路及び横管路を流れることによって発生する鉛直管路及び横管路内の圧力低下が、他の機器からの排水路に悪影響を及ぼしにくい。また、合流出口が、横管路上部に開口しているので、水洗大便器から洗浄水と共に排出される汚物が合流出口に堆積し、他の機器の排水路を詰まらせることがない。しかも、合流出口は排水配管近傍で開口しているので、合流横管路内の圧力低下の影響をより一層受け難い。
【００１０】
また、前記鉛直管路及び上記緩衝室は、内径の異なる円筒状の部材による入れ子構造によって円環状空間を形成すると共に、この円環状空間から前記横管路の上方を経て前記排水配管の近傍に開口する横引き空間を有してなるので、比較的容易に製作することができる円筒状の部材を組み合わせることによって、鉛直配管の周囲に円環状空間を形成することができると共に、横引き空間も横管路の上方に形成されているため、この横引き空間及び円環空間からなる緩衝室への汚物侵入が防止される。
【００１１】
なお、前記横管路は、前記鉛直管路から前記排水配管とを結ぶ斜め下りの管路であり、前記横引き空間も合流出口に向けて斜め下りに形成されているものとすれば、横管路はその内部空間が略一定の管路となり、汚物詰まりのないスムーズな排水を実現できる。
【００１２】
また、前記横引き空間は、前記横管路と一体に成形されている流路壁と、この流路壁の上方に取付けられたカバー材によって形成されているものとすれば、水洗大便器からの排水が流れる横管路の形状に係わらず、カバー材の形状によって簡単に十分な容積を有する横引き空間を形成できる。
【発明の効果】
【００１３】
本発明によれば、水洗便器の排水ソケットにおいて、便器のサイホン作用が弱められることが少なく、水洗便器から排出された汚物が堆積しにくく、しかも他の機器の排水路と合流しても悪影響を与えにくいという効果が得られる。
【発明を実施するための最良の形態】
【００１４】
次に、添付図面を参照して、本発明の実施形態の排水ソケットを説明する。
まず、図１乃至図４を参照して、本発明の第１実施形態の排水ソケットを説明する。図１は、本発明の第１実施形態の排水ソケットを、タンク式の水洗大便器及び手洗い器に接続した様子を示す図であり、（ａ）は平面図、（ｂ）は側面図である。図２は、図１のＸ−Ｘ断面図を示す。
【００１５】
図１に示すように、本発明の第１実施形態の排水ソケット１は、水洗大便器Ｂの排水路Ｂ１及び手洗い器Ｌの排水路Ｌ１に接続され、それらの排水を床面Ｆに設けられた排水配管Ｄに排出する。
【００１６】
図１又は図２に示すように、排水ソケット１は、水洗大便器Ｂの排水路Ｂ１に接続される鉛直管路２と、この鉛直管路の下端からほぼ水平方向に延びる横管路４と、鉛直管路２の周囲に形成された緩衝室６と、を有する。
【００１７】
鉛直管路２は、上方に開口したソケット流入口から鉛直下方に延びている。ソケット流入口にはパッキンＰ１が被せられ、水洗大便器Ｂの排水路Ｂ１とソケット流入口との間の水密性、気密性が確保されている。また、鉛直管路２の下端にはエルボー部が設けられ、管路がほぼ直角に曲げられている。
【００１８】
横管路４は、鉛直管路２のエルボー部に接続され、ほぼ水平に延びている。横管路４の下流端にはベンド部が設けられ、横管路４を床面Ｆに設けられた排水配管Ｄに接続するようになっている。
【００１９】
緩衝室６は、円筒状の部材１２を、円筒状の鉛直管路２の周りに同心円状に配置することによって、即ち、鉛直管路２を円筒状の部材１２の中に入れ子構造に配置することによって形成されている。横管路４の反対側の、円筒状の部材１２の下部側面には、入口管部１２ａが形成され、緩衝室６の緩衝室流入口６ａを構成している。また、横管路４側の排水配管Ｄの近傍位置には緩衝室６の合流出口６ｂが形成されている。その結果、緩衝室６は、円筒状の部材１２の内側に形成された円環状空間６ｃと、円筒状の部材１２の下部から合流出口６ｂへ向う横引き空間６ｄとから構成されている。また、緩衝室流入口６ａは、合流出口６ｂよりも高い位置にあり、緩衝室６の底面は、緩衝室流入口６ａから合流出口６ｂに向って低くなるように傾斜している。なお、緩衝室６の円環状空間６ｃの流路断面積は、排水路Ｌ１の流路断面積よりも広く構成されている。
【００２０】
次に、本発明の第１実施形態の排水ソケット１を用いた水洗大便器の設置方法を説明する。まず、横管路４のベンド部が、床面Ｆに設けられた排水配管Ｄと連通するように、パッキンＰ２を介して排水ソケット１を配置し床面Ｆに仮止めする。更に、横管路４の長さ、及び、排水ソケット１の方向を調整して、鉛直管路２のソケット流入口を所定の位置に位置決めする。次いで、排水ソケット１の位置、方向を確認した後、排水ソケット１を本固定する。排水ソケット１と排水配管Ｄとの間の水密性、気密性はパッキンＰ２によって確保される。
【００２１】
次に、手洗い器Ｌの排水路Ｌ１を円筒状の部材１２の入口管部１２ａに接続する。即ち、排水路Ｌ１と緩衝室６の緩衝室流入口６ａが連通される。また、手洗い器Ｌと緩衝室流入口６ａとの間の排水路Ｌ１には、トラップ（図示せず）が形成されている。次に、水洗大便器Ｂの排水路Ｂ１が、鉛直管路２のソケット流入口２ａに挿入されるように、水洗大便器Ｂを床面Ｆに配置する。また、排水ソケット１から手洗い器Ｌへ延びる排水路Ｌ１は、水洗大便器Ｂの背面に形成された
切欠部Ｂ２に通される。次いで、水洗大便器Ｂの位置、方向を確認し、水洗大便器Ｂを床面Ｆにネジ止めする。水洗大便器Ｂの排水路Ｂ１と排水ソケット１との間の水密性、気密性は、ソケット流入口２ａに被せられたパッキンＰ１によって確保される。
【００２２】
次に、本発明の第１実施形態の排水ソケット１の作用を説明する。まず、水洗大便器Ｂの便鉢に洗浄水が流れ込んでいない時には、図１に示すように、便鉢内の水位は、水洗大便器Ｂの排水トラップの最高点の高さに維持されている。便鉢内に洗浄水が流れ込むと、便鉢内の洗浄水が排水トラップを越えて排水ソケット１に流入する。排水ソケット１に流入した洗浄水は鉛直管路２を流下し、下端のエルボー部に当たって跳ね上がる。跳ね上がった洗浄水によって、鉛直管路２の下端部付近に水膜が形成されてサイホン作用が発生し、便鉢内の洗浄水及び汚物が吸引される。本実施形態の排水ソケット１においては、鉛直管路２に充満した洗浄水に作用する引力によって鉛直管路２内及び排水路Ｂ１内に負圧を発生させ、便鉢内の洗浄水及び汚物を吸引するサイホン作用を利用している。その際、鉛直管路２から距離を隔てた排水配管Ｄの近傍位置に合流出口６ｂが設けられているため、サイホン作用に与える影響は非常に少ない。
【００２３】
鉛直管路２を通過した洗浄水は、横管路４の中を流れ、排水配管Ｄへ排出される。横管路４の中を洗浄水が流れると横管路４内の圧力が低下するので、緩衝室６内の空気が合流出口６ｂを通って横管路４の中に吸引される。しかしながら、横管路４内の圧力低下の影響は、大きな容積を有する緩衝室６によって遮断され、緩衝室６に接続された手洗い器Ｌの排水路Ｌ１には殆ど及ばない。従って、手洗い器Ｌと排水ソケット１との間の排水路Ｌ１に形成されたトラップ（図示せず）内の封水が吸い出され、破封の発生が防止される。また、横管路４内を洗浄水と共に流れる汚物の大部分は、横管路４の下側の壁面に沿って流れるので、横管路４の上部壁面に設けられた合流出口６ｂの部分に汚物が堆積することはない。
【００２４】
また、手洗い器Ｌからの排水は、排水路Ｌ１、緩衝室６の緩衝室流入口６ａを通って緩衝室６に流入する。緩衝室６に流入した排水は、図２に示すように２つに分岐され、鉛直管路２と円筒状の部材１２との間に形成された円環状空間６ｃを通って横引き空間６ｄへ至り、合流出口６ｂから流出する。合流出口６ｂから横管路４に流入した排水は、排水配管Ｄに排出される。また、緩衝室６の底面には傾斜が付けられているので、緩衝室６に流入した排水は、緩衝室６内に滞留せず、すべて横管路４に流れ込む。
【００２５】
本発明の第１実施形態の排水ソケットによれば、合流出口６ｂが横管路４の排水配管Ｄ近傍に設けられているので、他の機器の排水路の合流により排水ソケットのサイホン作用が阻害されることがない。また、本実施形態の排水ソケットによれば、合流出口６ｂが横管路４の上部壁面に設けられているので、排水ソケット内を流れる汚物が他の機器の排水路に逆流して、他の機器の排水路に堆積することがない。さらに、本実施形態の排水ソケットによれば、排水路Ｌ１と横管路４との間に緩衝室６が設けられているので、横管路４内の圧力低下の影響が排水路Ｌ１に及んで、排水路Ｌ１に設けられたトラップの封水を破ることがない。
【００２６】
次に、図３，図４を参照して、本発明の第２実施形態の排水ソケットを説明する。図３は本発明の第２実施形態の排水ソケットの全断面図であり、図４はこの第２実施形態の排水ソケットを示す図であり、（ａ）は平面図、（ｂ）は斜視図を示す。図３、図４に示すように、本発明の第２実施形態の排水ソケットは、横管路が非常に短い点が、第１実施形態とは異なる。
【００２７】
本発明の第２実施形態の排水ソケット２０は、水洗大便器Ｂの排水路Ｂ１に接続される鉛直管路２２と、この鉛直管路の下端から横方向に延びる横管路２４と、鉛直管路２２の周囲に形成された緩衝室２６と、鉛直管路２２を床面Ｆ上に支持、固定する第１脚部２８と、横管路２４の下流側端部を床面Ｆ上に支持、固定する第２脚部３０と、を有する。
【００２８】
鉛直管路２２は、上方に開口したソケット流入口２２ａと、下端のエルボー部２２ｂとを有し、このソケット流入口２２ａにはパッキンＰが被せられている。鉛直管路２２の下端には、両側に突出するように第１脚部２８が設けられている。横管路２４は、鉛直管路２２のエルボー部２２ｂと一体に形成されている。ベンド部２４ａが横管路２４の下流端に取付けられている。ベンド部２４ａの下流側には、排水配管Ｄに挿入される直管部２４ｂが設けられ、排水配管Ｄと横管路２４とを接続している。ベンド部２４ａの周囲にはほぼ円形の第２脚部３０が形成されている。
【００２９】
緩衝室２６は、円筒状の部材３２を、円筒状の鉛直管路２２の内側に同心円状に配置することによって形成されている。横管路２４の反対側には、入口管部２２ｃが形成され、緩衝室２６の緩衝室流入口２６ａを構成している。この緩衝室流入口２６ａからベンド部２４ａ近傍に開口した合流出口２６ｂまでは、円筒状の部材３２の外側に形成された円環状空間２６ｃ及び横管路２４の上方に形成された横引き空間２６ｄを通じて連通している。具体的には、横管路２４側の、円筒状の部材３２の下部と連続した流路壁２４ｃの上方にカバー材３４を被せることによって、横引き空間２６ｄが構成される。これにより、合流出口２６ｂは、鉛直管路２２から間隔を隔てた横管路２４のベンド部２４ａ近傍、即ち、排水配管Ｄの直上に位置することになる。また、緩衝室流入口２６ａは、合流出口２６ｂよりも高い位置にあり、緩衝室２６の底面である円環状空間２６ｃ及び横引き空間２６ｄの底面は、緩衝室流入口２６ａから合流出口２６ｂの方へ低くなるように傾斜している。
【００３０】
このように排水ソケット２０は、鉛直管路２２の上方内側に円筒状の部材３２を嵌め込むことにより、緩衝室流入口２６ａと連通した円環状空間２６ｃを形成し、そして、鉛直管路２２と同一部材である横管路２４のベンド部２４ａ上方に設けられた開口をカバー材３４にて円環状空間２６ｃと連通して被うことにより、その開口を緩衝室２６の合流出口２６ｂとし、横管路２４の流路壁２４ｃとカバー材３４との間に、円環状空間２６ｃと連通した横引き空間２６ｄを形成している。
【００３１】
ここで、合流出口２６ｂは、流路壁２４ｃのベンド部２４ａに繋がる部分（図３において二点鎖線で示す）を切り欠いたものであり、横管路２４の上部壁に合流出口２６ｂを設ける場合において、極力排水配管Ｄに近づけて形成したものである。この第二の実施形態においては短い距離でエルボ部２２ｂとベンド部２４ａとの屈曲が連続するが、水洗大便器Ｂからの排水時にサイホン作用発生の起点となるエルボ２２ｂから合流出口２６ｂを遠ざけることができ、サイホン発生に支障を生ずることが無いものである。
【００３２】
また、ベンド部２４ａは内Ｒをつけて排水を排水配管Ｄへ導くことにより、流路抵抗の増加を防止してより一層サイホン発生を起こし易くしている。
なお、流路壁２４ｃはエルボ部２２ｂからベンド部２４ａへとスムーズに排水を流す為、横管路２４と一体に斜め下方に向けて形成されているが、横引き空間２６ｄはこの横管路２４とは別部材のカバー材３４の形状によって最適な空間を確保することができる。
【００３３】
本発明の第２実施形態の排水ソケット２０の設置方法は、以下の通りである。
まず、横管路２４のベンド部２４ａが、床面Ｆに設けられた排水配管Ｄと連通するように、接着剤を介して排水ソケット２０を配置する。次いで、第２脚部３０の穴にネジ（図示せず）を通し、第２脚部３０を床面Ｆに仮止めする。更に、排水ソケット２０の方向を調整して、鉛直管路２２のソケット流入口２２ａを所定の位置に位置決めする。次いで、第１脚部２８の穴にネジ（図示せず）を通し、第１脚部２８を床面Ｆに仮止めする。排水ソケット２０の位置、方向を確認した後、第１及び第２脚部２８，３０の穴，長穴のネジを締付けて、排水ソケット２０を固定する。排水ソケット２０と排水配管Ｄとの間の水密性、気密性は接着剤によって確保される。
【００３４】
次に、手洗い器Ｌの排水路Ｌ１を入口管部２２ｃに接続する。即ち、排水路Ｌ１と緩衝室２６の緩衝室流入口２６ａが連通される。また、手洗い器Ｌと緩衝室流入口２６ａとの間の排水路Ｌ１には、トラップ（図示せず）が形成されている。次に、水洗大便器Ｂの排水路Ｂ１が、鉛直管路２２のソケット流入口２２ａに挿入されるように、水洗大便器Ｂを床面Ｆに配置する。また、排水ソケット１から手洗い器Ｌへ延びる排水路Ｌ１は、水洗大便器Ｂの背面に形成された切欠部Ｂ２に通される。次いで、水洗大便器Ｂの位置、方向を確認し、水洗大便器Ｂを床面Ｆにネジ止めする。水洗大便器Ｂの排水路Ｂ１と排水ソケット２０との間の水密性、気密性は、ソケット流入口２２ａに被せられたパッキンＰ１によって確保される。
なお、この、第２実施形態の排水ソケット２０は、水洗大便器Ｂの排水路Ｂ１と、排水配管Ｄとの間の水平方向距離が近い場合に適用することができる。
【００３５】
また、本発明の第２実施形態の排水ソケット２０の作用も、第１実施形態とほぼ同様である。緩衝室２６の合流出口２６ｂが横配管２４の排水配管Ｄとの接続部近傍にて開口しているため、緩衝室２６及びそれに接続された排水路Ｌ１によって、排水ソケット３０のサイホン作用を阻害することがない。また、合流出口２６ｂが横管路２４の上部に位置するので、排水ソケット３０を流れる汚物が逆流して、緩衝室２６や排水路Ｌ１に堆積することがない。さらに、合流出口２６ｂと排水路Ｌ１との間に緩衝室２６が設けられているので、横管路２４の圧力の低下が排水路Ｌ１に及ぶことがない。
【００３６】
以上、本発明の好ましい実施形態を説明したが、上述した実施形態に種々の変更を加えることができる。特に、上述した実施形態では、水洗大便器からの排水と手洗い器からの排水を合流させる排水ソケットについて説明したが、本発明は、水洗大便器からの排水と、水洗大便器以外の任意の排水とを合流させる排水ソケットに適用することができる。
【図面の簡単な説明】
【００３７】
【図１】本発明の第１実施形態の排水ソケットを、タンク式の水洗大便器及び手洗い器に接続した様子を示す図であり、（ａ）は平面図、（ｂ）は側面図を示す。
【図２】図１のＸ−Ｘ断面図を示す。
【図３】本発明の第２実施形態の排水ソケットの全断面図を示す。
【図４】本発明の第２実施形態の排水ソケットを示す図であり、（ａ）は平面図、（ｂ）は斜視図を示す。
【図５】従来の、水洗大便器からの排水路と手洗器からの排水路とを合流する排水ソケットを示す図。
【符号の説明】
【００３８】
Ｂ…水洗大便器
Ｂ１…排水路
Ｄ…排水配管
Ｆ…床面
Ｌ…手洗い器
Ｌ１…排水路
Ｐ１…パッキン
Ｐ２…パッキン
１…本発明の第１実施形態の排水ソケット
２…鉛直管路
４…横管路
６…緩衝室
６ａ…緩衝室流入口
６ｂ…合流出口
６ｃ…円環状空間
６ｄ…横引き空間
１２…円筒状の部材
２０…本発明の第２実施形態の排水ソケット
２２…鉛直管路
２４…横管路
２６…緩衝室
２６ａ…緩衝室流入口
２６ｂ…合流出口
２６ｃ…円環状空間
２６ｄ…横引き空間
２８…第１脚部
３０…第２脚部
３２…円筒状の部材
３４…カバー材
【図１】
2005098011.tif 000003
【図２】
2005098011.tif 000004
【図３】
2005098011.tif 000005
【図４】
2005098011.tif 000006
【図５】
2005098011.tif 000007